(57)【特許請求の範囲】
【請求項１】
金属製真空二重構造で形成された容器本体の開口部に、適宜な柔軟性を備えた弾性材料で形成され、開口部上端を被覆する口当て部と、開口部内周面に密嵌装着できる内環状部と、内環状部の下方部を内方に窄めた密閉受け部とを備えた飲み口体を装着し、内周面に開口部外周面に螺合装着できる外環状部と、装着時に下面外周縁が前記密閉受け部に食い込む栓部とを備えた蓋体を被冠装着してなることを特徴とする飲料用容器。
【請求項２】
容器本体の開口部下方を窄め形状として支持突部を形成し、当該支持突部上に密閉受け部が配置されてなる請求項１記載の飲料用容器。
【請求項３】
蓋体の栓部の下面外周縁を突縁に形成してなる請求項１又は２記載の飲料用容器。
【請求項４】
容器本体の開口部内周面に凹条部を形成すると共に、飲み口体外周面に前記凹条部に対応する突条を設けてなる請求項１乃至３記載の何れかの飲料用容器。
【発明の詳細な説明】
【技術分野】
【０００１】
本発明は、主として携帯に適する保温構造を備え、特に飲み口から直接喫飲できる飲料用容器に関するものである。
【背景技術】
【０００２】
携帯に適する保温機能を備える飲料用容器は、容器本体を金属製の真空二重構造としているもので、所謂マグボトルと称されている。この飲料容器においては、容器本体の上方開口部分を飲み口として直接唇を付けて喫飲する物も知られているが、携帯する飲料が熱い場合に、金属製容器体の開口縁と直接唇が触れると、金属製容器体も熱くなっており、喫飲し難いので、従前より容器本体の開口部に樹脂製の飲み口部を備えた部材を付設することが提案されている。
【０００３】
具体的には、特許文献１（特開２００９−６７４０９号公報図５）には、金属製の容器本体の開口部の外周面に螺合装着する外環状部と、開口部上端を覆う飲み口部と、開口部内周面に位置する内環状部を一体に形成した環状体と、環状体の内周面に螺合装着する蓋体で構成されている飲料用容器の飲み口構造が開示されている。
【０００４】
また特許文献２（意匠登録第１３８６７６７号公報断面図）には、金属製容器体の開口部上縁を覆う飲み口部と内環状部を備えた環状体と、開口部の外周面に螺合装着すると共に開口部を閉塞する蓋体で構成されている飲料用容器の飲み口構造が開示されている。
【先行技術文献】
【特許文献】
【０００５】
【特許文献１】特開２００９−６７４０９号公報図５。
【特許文献２】意匠登録第１３８６７６７号公報断面図。
【発明の概要】
【発明が解決しようとする課題】
【０００６】
前記のような飲み口部を備える環状体と蓋体の組み合わせで、金属製容器本体を備えた飲料用容器の飲み口構造においては、当然容器本体内の飲料が漏れ出ないように、密封構造（パッキン構造）が採用されている。
【０００７】
例えば前記特許文献１に開示されている飲み口構造においては、環状体の内環状部と容器本体の間と、蓋体における内環状部の内周面と対面する個所に、各々パッキンを装着している。
【０００８】
また特許文献２記載に開示されている飲み口構造においては、環状体の内環状部と容器本体の間と、蓋体における容器本体の開口部内周面と対面する個所に、各々パッキンを装着している。
【０００９】
このようにパッキンを装着する場合には、輪状のパッキンが外れないように装着個所は適宜な凹所形状に形成する必要があり、環状体や蓋体の当該個所の製造が煩雑であり、清潔に保つためには、パッキンを取り外して洗浄するため煩瑣であり、また取り外したパッキンの装着忘れによる液漏れ等の虞もある。
【００１０】
そこで本発明は、パッキンを不要とする新規な飲み口構造を備えた飲料用容器を提案したものである。
【課題を解決するための手段】
【００１１】
本発明に係る飲料用容器は、金属製真空二重構造で形成された容器本体の開口部に、適宜な柔軟性を備えた弾性材料で形成され、開口部上端を被覆する口当て部と、開口部内周面に密嵌装着できる内環状部と、内環状部の下方部を内方に窄めた密閉受け部とを備えた飲み口体を装着し、内周面に開口部外周面に螺合装着できる外環状部と、装着時に下面外周縁が前記密閉受け部に食い込む栓部とを備えた蓋体を被冠装着してなることを特徴とするものである。
【００１２】
従って樹脂製の飲み口体を容器本体開口部に装着することで、容器本体内の飲料を喫飲する際に、唇は飲み口体の口当て部と接触することになり、従前容器と同様に直飲用として金属製容器本体を採用することによる不都合を解消すると共に、特に飲み口体を適度の柔軟性を有する弾性材料で形成し、開口部内周面に密嵌することで、開口部と飲み口体との当接面が密着して、当該当接面からの液漏れが防止され、また内環状部の下方部を内方に窄めた密閉受け部に形成し、蓋体を被冠装着した際に、栓部の下面外周が前記密閉受け部に食い込んで、飲み口体と蓋体（栓部）との間からの液漏れが防止される。
【００１３】
また本発明（請求項２）に係る飲料用容器は、前記の容器において、特に容器本体の開口部下方を窄め形状とした支持突部を形成し、当該支持突部上に密閉受け部が配置されてなるもので、栓部の下圧に対して密閉受け部を支持突部で支持することになるので、密閉受け部が栓部の下圧で下降することなく、確りと栓部を受け止めるので、液漏れが確実に防止される。
【００１４】
更に本発明（請求項３）に係る飲料用容器は、前記の容器において、特に蓋体の栓部の下面外周縁を突縁に形成してなるもので、突縁が密閉受け部に食い込むことで、液漏れが更に確実に防止される。
【００１５】
また本発明（請求項４）に係る飲料用容器は、前記の容器において、特に容器本体の開口部内周面に凹条部を形成すると共に、飲み口体外周面に前記凹条部に対応する突条を設けてなるもので、飲み口体を容器本体の開口部に嵌合装着した際に、突条が凹条部に入り込んで密着するので、飲み口体の装着が確りと為される（上方の離脱が防止される）と共に、飲み口体と開口部との当接部からの液漏れをより確実に防止する。
【発明の効果】
【００１６】
本発明の構成は上記の通りで、口当て部を備えた飲み口体を適度な弾性を有するシリコン樹脂で形成すると共に、下方内周を窄めて密閉受け部とし、蓋体に設けた栓部で密閉受け部を押圧して開口部を閉塞するようにしたもので、従前の口当て部を備えた環状体を備えた飲料容器と異なり、栓部等にパッキンを組み込む必要がなく、この結果パッキンを組み込むための複雑な栓構造も必要なく、洗浄に際しても面倒なパッキン着脱作業を要することがない便利な口当て部を備えた飲料用容器を提供できたものである。
【図面の簡単な説明】
【００１７】
【図１】本発明の実施形態の要部の分解斜視図。
【図２】同一部省略した全体断面図。
【図３】同一部拡大断面図。
【発明を実施するための形態】
【００１８】
次に本発明の実施形態について説明する。実施形態に示した飲料用容器は、容器本体１と、容器本体１に一体に装着される飲み口体２と、着脱操作を行う蓋体３で構成される。
【００１９】
容器本体１は、従前の保温携帯飲料容器と同様に金属製真空二重構造で、縦長の円筒形状の容器であり、上方に開口部１１を形成してなるもので、特に開口部外周面には、蓋体３を螺合装着する螺条部１２を設け、開口部１１の内周下方部分には、上方の開口個所より窄めて支持突部１３を形成し、更に開口部内周面には、凹条部１４を形成してなる。
【００２０】
飲み口体２は、シリコン樹脂等の適度な弾性を備えた弾性材料で形成したもので、開口部上端を内外周面と共に被覆し、且つ喫飲に不都合が無いような上方突縁形状とした口当て部２１と、開口部内周面に密嵌装着できる内環状部２２と、内環状部の下方部を内方に窄め、支持突部１３と対応する密閉受け部２３とを備えたもので、また前記凹条部１４と対応する突条２４を内環状部２２の外周面に設けてなる。
【００２１】
蓋体３は、容器本体１の上方から被冠する逆容器形状にして、外環状部３１の内周面に開口部外周面の螺条部１２に螺合できる内側螺条３２を設け、蓋体３の装着時に飲み口体に差し入れられる栓部３３を設けてなるもので、特に栓部３３は、その下面外周縁に一周する突縁３４を設けたものである。
【００２２】
而して容器本体１の開口部１１に飲み口体２を圧入して嵌合装着すると、飲み口体２がシリコン樹脂のような適度の柔軟性を有する弾性材料で形成されており、飲み口体２の内環状部２２が開口部１１の内周面に密着すると共に、外周面の突条２４が凹条部１４に嵌り込み、抜け止め状態となり、飲み口体２が容器本体１と一体化する。
【００２３】
従って飲み口体２は、容器本体１の開口部１１の上端を、喫飲に適する口当て部２１で被覆しているので、飲料が熱い場合でも支障なく喫飲できるものであり、且つ飲み口体２が開口部１１の内周面に密着しているものであるから、開口部１１と飲み口体２との当接面からの液漏れが防止され、喫飲時の液だれも生じない。
【００２４】
また蓋体３は、容器本体１に装着した飲み口体２の上方から被冠して装着するもので、容器本体１の螺条部１２に内側螺条３２を螺合し、栓部３３を飲み口体２の内方に差し入れると、栓部３３の下面外周縁に設けた突縁３４が、内方に絞り込まれている密閉受け部２３に当接し、更に蓋体３の螺合装着を進めると、突縁３４が密閉受け部２３に食い込むことになる。
【００２５】
特に密閉受け部２３が、容器本体１の支持突部１３で支えられることになるので、栓部３３の下圧に対して確りと受け止めることになり、突縁３４が樹脂製である密閉受け部２３に確実に食い込み、当該箇所の水封が実現し、充分な栓機能が発揮されるものである。
【００２６】
従って前記の飲料用容器は、パッキン構造を備えることなく、液漏れを確実に防止することになり、パッキン構造を採用した際の問題点を解消したものである。
【符号の説明】
【００２７】
１      容器本体
１１    開口部
１２    螺条部
１３    支持突部
１４    凹条部
２      飲み口体
２１    口当て部
２２    内環状部
２３    密閉受け部
２４    突条
３      蓋体
３１    外環状部
３２    内側螺条
３３    栓部
３４    突縁
【図１】
0005231592.tif 000002
【図２】
0005231592.tif 000003
【図３】
0005231592.tif 000004